【事件の表示】
　特願２０１４−１２３５８２「カリクレイン７産生促進剤」拒絶査定不服審判事件〔平成２８年　１月１２日出願公開、特開２０１６−　　３１９８、請求項の数（３）〕について、次のとおり審決する。
【結　論】
　原査定を取り消す。
　本願の発明は、特許すべきものとする。
【理　由】
【第１】手続の経緯
　本願は、平成２６年６月１６日の出願であって、平成２９年１２月１３日付けで拒絶理由通知がなされ、平成３０年４月１３日を受付日とする意見書及び手続補正書が提出されたが、同年９月１４日付けで拒絶査定（原査定）がなされ、これに対し、同年１１月１４日に拒絶査定不服審判の請求がなされると同時に手続補正書が提出され、当審において令和１年６月１８日付けで拒絶理由通知がなされ、同年７月４日付けで意見書及び手続補正書が提出されたものである。
　
　
【第２】本願発明
　本願の請求項１〜３に係る発明は、令和１年７月４日付けの手続補正書で補正された特許請求の範囲の請求項１〜３に記載された事項により特定される、次のとおりのものである。　
『　【請求項１】
　チオレドキシン（チオレドキシンリダクターゼを含むものを除く）からなる皮膚におけるカリクレイン７産生促進剤（レドックス制御機構の正常化、または、皮膚炎予防治療を目的として使用するものを除く）。
【請求項２】
　請求項１に記載のカリクレイン７産生促進剤を含有する皮膚におけるカリクレイン７産生促進用の組成物（レドックス制御機構の正常化、または、皮膚炎予防治療を目的として使用するものを除く。チオレドキシンリダクターゼを含むものを除く）。
【請求項３】
　医薬品、化粧品、食品、飲料のいずれかであることを特徴とする請求項２に記載の皮膚におけるカリクレイン７産生促進用の組成物（レドックス制御機構の正常化、または、皮膚炎予防治療を目的として使用するものを除く。チオレドキシンリダクターゼを含むものを除く）。　』
　
［合議体注］
１．以下、本願の請求項１〜３に係る発明を順に「本願発明１」〜「本願発明３」ということがあり、また、これらをまとめて単に「本願発明」ということがある）
２．以下、「チオレドキシン」、「チオレドキシンリダクターゼ」を順に「ＴＲＸ」、「ＴＲＸリダクターゼ」ということがあり、「カリクレイン７」を「ＫＬＫ７」ということがある。
　
　
【第３】当審拒絶理由通知書における拒絶の理由について
　
１．当審による令和１年６月１８日付けの拒絶理由通知書における拒絶の理由の概要は、次のとおりである。
　
・理由１：この出願は、発明の詳細な説明の記載が下記の点で、特許法第３６条第４項第１号に規定する要件を満たしていない。
・理由２：この出願は、特許請求の範囲の記載が下記の点で、特許法第３６条第６項第１号に規定する要件を満たしていない。
・理由３：この出願は、特許請求の範囲の記載が下記の点で、特許法第３６条第６項第２号に規定する要件を満たしていない。
　　　　　　　　　　　　（　記　）
（１）理由３（明確性の要件）について
　請求項１〜３では、「チオレドキシン」から除外されるものとして「（チオレオキシンリダクダーゼを含む
もの
場合
　即ち、「物」である前者（「チオレドキシン」）からの除外対象が「もの」即ち「物」として規定されているのに対し、後者（「カリクレイン７産生促進剤」）も物であるにもかかわらずそれからの除去対象が「（レドックス制御機構の正常化、または、皮膚炎予防治療を目的として使用する場合」とされているところ、ここでいう「場合」とはいわば使用の態様であって「物」としての除外対象を明確に規定しているものとは認められない。
　そうすると、請求項１〜３においては、各請求項の発明から除外される「物」の範囲が明確に規定されているとはいえないから、全体として各請求項に係るカリクレイン産生促進剤の範囲が明確であるとはいえない。
　
（２）理由１（実施可能要件）、２（サポート要件）について
　請求項１に係る剤については、「カリクレイン産生促進」作用が及ぼされる適用対象被験体の部位について特段の限定はないから、「チオレドキシン（チオレドキシンリダクターゼを含むものを除く）」により「カリクレイン産生促進」作用がもたらされ得る任意の部位を適用対象とするカリクレイン産生促進剤の態様が、形式上包含されているものと解される。　
　これに対し、本願明細書の発明の詳細な説明において、現実の薬理試験結果を以てＴＲＸ投与によるＫＬＫ７の産生促進作用が明らかにされているのは、ＴＲＸの適用対象としてヒト新生児皮膚由来のヒト表皮角化細胞を用いた例についてのみ（実施例１）である。また、例えば、本願明細書の【０００２】で引用されている「非特許文献１」：J.INVEST.DERMATOL.,(2010) 130(5) P.1297-1306の１２９７頁右欄で引用されているLUMDWALL AND BRATTSAND, CELL.MOL.LIFE SCI.,(2008)65 P.2019-2038中の２０２５頁の表３の記載によれば、ＫＬＫ７の発現及びその制御環境は、組織（又は当該組織を構成する細胞）により必ずしも一様とはいえないものと推測される。そうすると、本願明細書の実施例１で採用された表皮角化細胞以外の任意の組織（又は当該組織を構成する細胞）においても、同様にＴＲＸ処理すれば同様のＫＬＫ７産生促進作用がもたらされる、とは直ちには予期し得ない。
　そして、これらの点を踏まえた上でもなお、皮膚の表皮角化細胞以外の任意の組織（又はそれを構成する細胞）においてもＴＲＸで処理すれば実施例１の結果と同様のＫＬＫ７産生促進作用をもたらすことができ、かつその際のＴＲＸの適用条件が当業者にとり許容範囲内の試行錯誤により見出され得る、ということについて、合理的に説明している箇所を本願明細書中に見出すことはできない。
　したがって、本願明細書の発明の詳細な説明には、請求項１に係る発明のうち、ＴＲＸにより「カリクレイン７産生促進」作用が及ぼされる適用対象の作用部位が皮膚又はその角層であるもの以外の任意の態様について、当業者が理解かつ実施することができるといえる程度の明確かつ十分な記載がなされているとはいえないし、また、請求項１に係る発明のうち、ＴＲＸの適用部位が皮膚又はその角層であるもの以外の任意の態様は、本願明細書の発明の詳細な説明に記載された範囲を超えるものである。
　請求項１に係る剤を直接又は間接的に引用して規定されている請求項２、３の各組成物の発明についても同様である。
　
２．当審拒絶理由通知書に対する当審の判断
　
（１）理由３（明確性の要件）について
　【第２】に記載したとおり、令和１年７月４日付けの手続補正書の補正により、当該補正の前の請求項１〜３（平成３０年１１月１４日付け手続補正書の請求項１〜３）における各「皮膚炎予防治療を目的として使用する
場合
もの
　よって、当審拒絶理由通知書における理由３の不備は既に解消している。
（２）理由１、２について
（２−１）理由１（実施可能要件）について
（ｉ）　【第２】に記載したとおり、令和１年７月４日付けの手続補正書の補正により、当該補正前の請求項１（平成３０年１１月１４日付け手続補正書の請求項１）における「カリクレイン７産生促進剤（レドックス・・・を除く）」は「
皮膚における
皮膚における
　
（ｉｉ）　そして、本願発明に係る剤又は組成物に関し、本願明細書の実施例１の項（【００２２】〜【００２３】）には、新生児皮膚由来のヒト表皮角化細胞：ＮＨＥＫ−Ｎｅｏ（Life Technologies Japan社製）（【００１９】）の培養系に対し、ＴＲＸとしてヒト組換え体ＴＲＸ（ｒｈｕＴＲＸ、アリスタヘルスアンドニュートリションサイエンス株式会社製）を１〜１０μｇ／ｍｌの範囲で加えると濃度依存的に細胞内ＫＬＫ７産生が促進されたこと（【００２２】、図１）、並びに、同様の培養系に対し、ＴＲＸ高含有清酒抽出物（アリスタヘルスアンドニュートリションサイエンス株式会社製  清酒ＴＲＸ）を５〜１５μｇ／ｍｌの範囲で加えると濃度依存的に細胞内ＫＬＫ７産生が促進されたこと（【００２３】、図２）が記載されている。そして、ここで、ｒｈｕＴＲＸ並びに清酒ＴＲＸの投与時にＴＲＸリダクターゼを併せ用いたことの特段の記載はないから、後述する引用文献１：特開平９−１２４７１号公報の【０００６】にいわれるようなＴＲＸ及びＴＲＸリダクターゼで形成されるレドックス制御系（本願発明中に規定される「レドックス制御機構」に相当する）を形成しているとは認められず、また、上述のｒｈｕＴＲＸ並びに清酒ＴＲＸの投与が皮膚炎予防治療を目的としたものである旨の特段の記載もないことから、本実施例のＴＲＸ使用の態様は本願発明の「（レドックス制御機構の正常化、または、皮膚炎予防治療を目的として使用するものを除く）」の規定を満たすものと解される。
　これらの明細書及び図面に記載された、ヒト皮膚由来の表皮角化細胞に対するＴＲＸの用量等の採用条件を踏まえつつ、ＴＲＸ成分を実際に例えばヒト生体の皮膚に適用する際に、当該皮膚の表皮角化細胞内でＫＬＫ７産生促進作用がもたらされるのに必要な量のＴＲＸを当該皮膚の表皮角化細胞に送達するための用法・用量等を検討することを通じて、当該皮膚へのＴＲＸ投与条件を決定し実行することは、当業者にとり格別の複雑高度な試行錯誤等を要することなくなし得たことである。
　
（ｉｉｉ）　したがって、本願明細書の発明の詳細な説明には、請求項１〜３に係る発明について、当業者が理解かつ実施することができる程度の明確かつ十分な記載がなされているといえる。
　
（２−２）理由２（サポート要件）について
（ｉ）　特許請求の範囲の記載が特許法第３６条第６項第１号に規定する要件（サポート要件）に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識し得る範囲のものであるか否か、また、その記載や示唆がなくとも当業者が出願時の技術常識に照らして当該発明の課題を買い解決できると認識し得る範囲のものであるか否かを検討して判断すべきものである。　
　
（ｉｉ）　（ｉ）の点を踏まえ本願発明並びに本願明細書及び図面の記載をみるに、請求項１〜３に係る各発明により解決されるべき技術課題は、各請求項の規定からみて、皮膚におけるＫＬＫ７産生促進をもたらしめることであると把握されるところ、（２−１）（ｉｉ）で述べたとおり、本願明細書の実施例１では、ヒトの皮膚を構成する表皮角化細胞の培養系に対しＴＲＸ（ＴＲＸリダクターゼを含むものを除く）を投与することで当該細胞内のＫＬＫ７産生を促進せしめ得たことが実際の試験結果と共に示されている（【００２２】〜【００２３】、図１、２）；
　そして、当該実施例１の採用条件及び試験結果を含む本願明細書及び図面の記載をみた当業者であれば、ＴＲＸを実際に例えばヒト生体の皮膚に適用する際に、当該皮膚におけるＫＬＫ７産生を促進するに適切なＴＲＸの用法・用量等の条件を決定し得ること、並びに、同条件を実行することで当該皮膚におけるＫＬＫ７産生促進を実際にもたらしめ得ることを認識し得るものといえる。
　してみれば、当業者は、本願明細書の発明の詳細な説明の記載に基づき、本願発明に係る剤並びに組成物がいずれも上述の技術課題を解決できると認識し得るものといえる。
　
（ｉｉｉ）　したがって、請求項１〜３に係る発明は、いずれも本願明細書の発明の詳細な説明に記載されたものである。
　
（２−３）　よって、当審拒絶理由通知書における理由１、２のいずれの不備もまた、既に解消している。
　
（３）小活
　以上の検討のとおりであるから、当審により令和１年６月１８日付けで通知された拒絶理由通知書における拒絶の理由を以て、本願を拒絶することはできない。
　
　
 【第４】原査定の拒絶の理由について
　
１．原査定の拒絶の理由は、概要次の１−１．、１−２．のとおりである。
　
・１−１．　本願の請求項２〜３に係る発明は、下記の引用文献１３〜１６の記載を踏まえると、下記の引用文献１に記載された発明であり、また、同引用文献１に記載された発明に基づいて当業者が容易に発明をすることができたものであるから、特許法第２９条第１項第３号に該当し、また、同法同条第２項の規定により、特許を受けることができない。
　
・１−２．　本願の請求項１〜３に係る発明は、下記の引用文献１３〜１６の記載を踏まえると、下記の引用文献２に記載された発明であり、また、同引用文献２に記載された発明に基づいて当業者が容易に発明をすることができたものであるから、特許法第２９条第１項第３号に該当し、また、同法同条第２項の規定により、特許を受けることができない。
　　　　　　　　　　　　　　　　（　記　）
・引用文献１：特開平０９−０１２４７１号公報
・引用文献２：特開２０１１−００１２６９号公報
・引用文献１３：国際公開第２０１２／１１５２４７号（周知技術を示す文献）
・引用文献１４：特開２００２−２３４８４５号公報（周知技術を示す文献）
・引用文献１５：特開２００４−１３１４３１号公報（周知技術を示す文献）
・引用文献１６：特許第５３６２２１９号公報（周知技術を示す文献）
　
２．原査定の拒絶の理由に対する当審の判断
　
２−１．引用文献の記載事項（下線は当審による）
（ｉ）引用文献１
　
・１ａ．「【請求項１】　チオレドキシン及びチオレドキシンリダクターゼを含有することを特徴とする皮膚外用剤。
【請求項２】　チオレドキシン及びチオレドキシンリダクターゼと、還元型ニコチン酸アミドアデニンジヌクレオチドリン酸（ＮＡＤＰＨ）とを含有することを特徴とする、皮膚外用剤。
【請求項３】　皮膚外用剤が化粧料であることを特徴とする、請求項１に記載の皮膚外用剤。
【請求項４】　皮膚外用剤が化粧料であることを特徴とする、請求項２に記載の皮膚外用剤。」
　
・１ｂ．「【０００１】　【産業上の利用分野】
　本発明は、
紫外線等により生じた酸化ストレスから皮膚を保護し
皮膚の老化を防止し
　
・１ｃ．「【０００２】　【従来の技術】
　紫外線，放射線，重金属などにより生じた
活性酸素種
老化
酸化ストレス
レドックス制御
レドックス制御に関わる物質を皮膚外用剤に応用しようとする試み
チオレドキシンの金属により触媒される酸化傷害への応用
【０００３】　しかしながら、上記した従来用いられている技術においては、主としてグルタチオンや
チオレドキシン
る還元作用を利用したものであって、
レドックス制御機構の正常化といった観点に立ったものではなかった
【０００４】　【発明が解決しようとする課題】
　今回、本発明では、皮膚組織において生体の有する
レドックス制御機構を正常化し、より活性化することにより、酸化ストレスに対する抵抗性を向上させ、酸化ストレスにより生じる種々の傷害反応を防止する
　
・１ｄ．「【０００５】【課題を解決するための手段】
　本発明において、われわれは特にチオレドキシンを中心とした
レドックス制御系
チオレドキシンとその還元酵素であるチオレドキシンリダクターゼの複合体を
【０００６】　
チオレドキシン
チオレドキシンリダクターゼとともにレドックス制御系を形成する
　
・１ｅ「【０００９】(1)
紫外線照射による細胞傷害に対する保護
マウスケラチノサイト
【００１０】図１より、チオレドキシン画分及びチオレドキシンリダクターゼ画分を添加した系（４）では、これらを添加しなかった対照培養系（２）に比べて、
ＵＶＢ照射後の細胞生存率
　
・１ｆ．「【００１１】　(2)
線維芽細胞増殖促進
ヒト線維芽細胞
【００１２】　図２より、チオレドキシン画分及びチオレドキシンリダクターゼ画分を添加した系（４）では、対照（１）に比べて１１２％の
細胞増殖促進
細胞増殖促進
　
・１ｇ．「【００１３】(3)
チロシナーゼ生合成阻害
１００μｇ／ｍｌのチオレドキシン画分及びチオレドキシンリダクターゼ画分或いはさらに１００μｇ／ｍｌのＮＡＤＰＨを、
マウスＢ１６メラノーマ細胞
　・・・
【００１４】図３より明らかなように、チオレドキシン画分及びチオレドキシンリダクターゼ画分をともに添加した系（４）においては、
細胞中のチロシナーゼ量
減少
ＮＡＤＰＨを添加した系（５）においても同程度のチロシナーゼ生合成の阻害が認められた
　
・１ｈ．「（図１〜図３）
　　　　　　　　　　　　　　　　　　　　　　　　　　　　　　　」
　
・１ｉ．「【００１６】　【作用】
本発明に係る皮膚外用剤においては、チオレドキシン及びチオレドキシンリダクターゼの有する
細胞保護
線維芽細胞増殖促進
チロシナーゼ生合成阻害
紫外線による皮膚の炎症や老化症状の防止及び改善、皮膚の創傷治癒促進，皮膚のしわ，たるみの消失，皮膚弾力性の回復等の皮膚細胞の賦活作用、しみやそばかすの改善や日焼け等の防止，改善といった皮膚の美白作用
　
・１ｊ．さらに、引用文献１の【実施例】の項（【００１８】〜【００３５】）には、実施例１〜６（【００１８】〜【００２３】）の各種化粧料について「
紫外線による皮膚の老化
　・１ｊ−１）　ＴＲＸ及びＴＲＸリダクターゼを併せ配合してなる各種化粧料（実施例１〜６）、並びに、実施例１〜６の各化粧料におけるＴＲＸ及びＴＲＸリダクターゼに相当する成分を精製水に代替したもの（比較例１〜６）を、それぞれ
戸外で作業する２０〜５０才の男女バネラー
しわ減少及び皮膚弾性の上昇
　・１ｊ−２）　１ｊ−１の実施例１〜６、比較例１〜６の各種化粧料を、それぞれ
人工的に創傷又は炎症を生じさせたマウス
　・１ｊ−３）　１ｊ−１の実施例１〜６、並びに、実施例１〜６の各化粧料におけるＴＲＸ及びＴＲＸリダクターゼをＴＲＸリダクターゼを配合せず２倍相当量のＴＲＸに代替したもの（実施例７〜１２）を、それぞれ
日焼け等の色素沈着が顕著に認められる３０才〜５０才代の女性パネラー
が記載されている。
　
（ｉｉ）引用文献２
　
・２ａ．「【請求項１】　
チオレドキシンスーパーファミリーのポリペプチド
紫外線誘発皮膚炎
一次刺激性皮膚炎
【請求項２】　チオレドキシンスーパーファミリーのポリペプチド及びヒアルロン酸又はその塩を有効成分とする紫外線誘発皮膚炎又は一次刺激性皮膚炎の予防又は治療用外用剤。
【請求項３】　チオレドキシンスーパーファミリーのポリペプチドが、
ヒトチオレドキシン
　
・２ｂ．「【背景技術】
【０００２】　
紫外線を過剰に照射された皮膚
日光皮膚炎
アレルギー性皮膚炎とは明確に区別されてい
　一方、
一次刺激性皮膚
アレルギー性皮膚炎とは全く相違し
アレルギーとは無関係なので誰にでも起こり得る
　・・・
【発明が解決しようとする課題】
【０００６】　紫外線誘発皮膚炎又は一次刺激性皮膚炎の治療に用いられるステロイド薬は、副作用が懸念され、連用はさけるべきである。・・・
　従って、
本発明の課題は局所投与可能な、紫外線誘発皮膚炎又は一次刺激性皮膚炎予防治療剤を提供することにある
　
・２ｃ．「【課題を解決するための手段】
【０００７】　そこで本発明者は、チオレドキシンに着目して紫外線誘発皮膚炎又は一次刺激性皮膚炎に適用したところ、全く意外にも、チオレドキシンは、局所に外用した場合にこれらの皮膚炎を顕著に抑制することを見出した。さらにチオレドキシンとヒアルロン酸とを併用するとその効果が増強されることも見出した。
　・・・
【０００９】　本発明によれば、紫外線誘発皮膚炎及び各種一次刺激性皮膚炎、日光皮膚炎、及び例えば洗剤や油剤に起因するかぶれなどの治療が外用により安全に可能になった。」
　
・２ｄ．「【００２３】　実施例１
　アルビノヘアレスマウスの背部にチオレドキシン含有ヒドロゲル（チオレドキシン０．００１ｗ／ｖ％、ヒアルロン酸１ｗ／ｖ％）を塗布（０．５μｇ／ｃｍ2）した。その２時間後にＵＶ−Ｂを７５０Ｊ／ｍ２照射した。ＵＶ−Ｂ照射直後、６時間後及び２４時間後に皮膚を採取し、ヘマトキシリン染色によりサンバーン細胞を染色し、サンバーン細胞の消失を観察した。その結果を図１及び２に示す。図１及び２から明らかなようにプラセボ（ヒドロゲルのみ塗布）群では存在した多くのサンバーン細胞が、チオレドキシン塗布群では消失しており、
チオレドキシンの外用により、紫外線照射による炎症が抑制される
【００２４】　実施例２
　ウィスター系雄性ラットの耳介に５％クロトン油含有起炎剤（クロトン油：エーテル：ピリジン：水＝１：１４：４：１）を塗布し、一次刺激性皮膚炎を惹起した。
　チオレドキシン含有ヒドロゲル（チオレドキシン０．００１ｗ／ｖ％、ヒアルロン酸１ｗ／ｖ％）は、皮膚炎惹起の２時間前に塗布した。炎症惹起６時間後及び２４時間後に耳介の腫脹を測定した。その結果を図３に示すように、
チオレドキシン塗布により一次刺激性皮膚炎が抑制される
　なお、チオレドキシンを、アセトン：オリーブオイル（４：１）に溶解して塗布した場合の耳介腫脹の抑制効果は、チオレドキシンとヒアルロン酸とを併用した場合に比べて低かった。」
　
（ｉｉｉ）引用文献１３
　引用文献１３には、
・１３ａ．
角層（ＳＣ）キモトリプシン酵素であるＫＬＫ７
が、皮膚の剥離において極めて重要な機能を有しており
角層剥離は細胞接着の働きを示すデスモゾームにＫＬＫが作用してそれを分解することで生じる
・１３ｂ．当該角層剥離に寄与するＫＬＫ７がメソトリプシンにより直接活性化されることが見出され、角層剥離促進剤として使用するメソトリプシンの発現亢進作用を有する薬剤として、イチョウ葉エキス、ユキノシタエキス、イザヨイバラエキス、グリチルリチン酸ジカリウム及びエクトインがスクリーニングされたこと（[0011]；[0022]〜[0026]、図１、図２；請求項１、２）；
が記載されている。
　
（ｉｖ）引用文献１４
　引用文献１４には、
・１４ａ．正常な皮膚では、角質層の細胞同士を接着しているデスモソームの分解がスムーズに行われるため角質層の自然な剥離（落屑）が行われる一方、
肌荒れの特徴としてはデスモソームが切れずに最外層の角質層でも残っている
このデスモソームの分解を促進させることが肌荒れ及び老化角質の重層化の改善につながることが期待されている
キモトリプシン様セリンプロテアーゼ
の酵素活性を増強することにより、そのような肌荒れの改善が期待できる
・１４ｂ．「角質層のｐＨである弱酸性条件下で角質層の剥離を再現する方法の確立により、皮膚の生理学的剥離効果を促進、さらには酵素活性阻害物質の存在下でも
酵素の角質剥離効果を高め、健康な皮膚とする
皮膚の角質層のターンオーバー速度を早め、古い角質を速やかに除去することにより古い角質層に含まれるメラニンを除去し
・１４ｃ．皮膚のトリプシン及びキモトリプシン様プロテアーゼの角層剥離効果を高める物質としてビタミンＢ１２活性を有するコバラミン類を含有する角質剥離促進剤（請求項１）が提供されること；
・１４ｄ．同剤は「
優れた角質層の剥離促進効果を有し、角質層の自然な剥離（落屑）を促す
皮膚の角質層のターンオーバー速度を早め
皮膚の角質層のターンオーバー速度を早め、古い角質を速やかに除去することにより古い角質層に含まれるメラニンを除去し
が記載されている。、
　
（ｖ）引用文献１５
　引用文献１５には、
・１５ａ．大豆由来のサポニン、若しくはケール及び／又はその抽出物を含むことを特徴とする紫外線傷害予防又は改善用組成物（請求項１，２）；　について記載されており、より具体的には、
・１５ｂ．プロテアソームは紫外線や酸化ストレスにより変性や傷害を受けた細胞内の異常タンパク質を除去し、ストレス応答にも密接に関係している（【０００４】）ことから、生体内のプロテアソーム活性を促進し種々の疾病を予防及び改善する組成物が開発されている（【０００５】）ところ；
・１５ｃ．大豆由来のサポニンが
ヒト皮膚線維芽細胞における紫外線（ＵＢＶ）照射後の傷害を抑制し
キモトリプシン様プロテアソーム活性を促進し
ＵＶＢ照射後に増加するカルボニル化タンパク質（生体内における老化の指標として知られている）を有意に低下させる
が記載されている。
　
（ｖｉ）引用文献１６
　引用文献１６には、
・１６ａ．「皮膚から採取された女性の皮膚細胞及び／又は皮膚組織における分泌タンパク質及び／又は細胞内タンパク質の発現及び／又はその遺伝子発現を測定することを含む、
加齢により生じた皮膚の老化現象
・１６ｂ．「
ヒトの皮膚老化度の指標
加齢との相関が明らかになっている目尻の弾力性としわ体積率
ＫＬＫ７の発現量は、目尻弾力性の低下に伴って有意に減少し、目尻のしわ体積率の増加に伴って有意に減少した
ＫＬＫ７がヒトの皮膚老化度と相関することが明らかになった
が記載されている。
　
２−２．対比・判断
（１）理由１−１についての判断
（１−１）本願発明２について
　
（ｉ）　本願発明２は、【第２】の請求項２に記載されたとおりのものである。
　ここで、請求項２は請求項１を引用する形式で記載されているところ、当該請求項１の記載を請求項２内に直接記載して表すと、次のようになる。
　『　チオレドキシン（チオレドキシンリダクターゼを含むものを除く）からなる皮膚におけるカリクレイン７産生促進剤（レドックス制御機構の正常化、または、皮膚炎予防治療を目的として使用するものを除く）
を含有する皮膚におけるカリクレイン７産生促進用の組成物（レドックス制御機構の正常化、または、皮膚炎予防治療を目的として使用するものを除く。チオレドキシンリダクターゼを含むものを除く）。　』
　
（ｉｉ）引用文献１に記載された発明
　２−１．（ｉ）の引用文献１の記載によれば、同文献に係る皮膚外用剤（摘示事項１ａ）が、従来のＴＲＸの酸化傷害への応用はＴＲＸの還元作用を利用したものであって生体の有するレドックス制御機構の正常化を企図するものではなかったこと（摘示事項１ｃ）を踏まえ、皮膚におけるレドックス制御を正常化しより活性化することにより酸化ストレスに対する抵抗性を向上させ、酸化ストレスにより生じる種々の傷害反応を防止するために提供されるものであることが把握でき（摘示事項１ｃ，１ｄ）、そのような酸化ストレスにより生じる種々の傷害反応として摘示事項１ｅ〜１ｊで採用されているいずれかの症状、例えば紫外線照射による細胞障害（摘示事項１ｅ）が挙げられるものと把握することができる。
　そうすると、これらの摘示事項を含む引用文献１には、次の発明：
　「　チオレドキシン及びチオレドキシンリダクターゼを含有することを特徴とする、皮膚におけるレドックス制御を正常化しより活性化することにより酸化ストレスに対する抵抗性を向上させ、酸化ストレスにより生じる種々の皮膚の傷害反応を防止するための、皮膚外用剤　」
（以下、単に「引用発明１」ということがある）が記載されているものと認められる。
　
（ｉｉｉ）対比・判断
（ｉｉｉ−１）新規性について
　（ｉ）の本願発明２と引用発明１を対比するに、両者は
　‘チオレドキシンを含有する、皮膚用の組成物’
の点で一致するが、次の１）及び２）の点：
　１）　組成物中の「チオレドキシン」について、
　・本願発明２では「チオレドキシン」からなり「チオレドキシンリダクダーゼを含むものを除く」のに対し、
　・引用発明１では「チオレドキシン」及び「チオレドキシンリダクターゼ」を含有する；
　２）　「チオレドキシン」並びにそれを含む「組成物」の皮膚における作用又は用途について、
　・本願発明２では次の要件２Ａ及び２Ｂ：
　　２Ａ)　「皮膚におけるカリクレイン７産生促進」用
　　２Ｂ)　「レドックス制御機構の正常化、または、皮膚炎予防治療を目的として使用するものを除く。」
を共に満たすのに対し、
　・引用発明１では
　　上の２Ａに係る限定はなく、かつ、
　　同２Ｂに係る限定はなく、「皮膚におけるレドックス制御を正常化しより活性化することにより酸化ストレスに対する抵抗性を向上させ、酸化ストレスにより生じる種々の傷害反応を防止するための」とされている；
（以下、１）、２）を順に「相違点１」、「相違点２」ということがある）において、相違する。
　
　そうすると、本願発明２は引用文献１に記載された発明とはいえない。
　
（ｉｉｉ−２）進歩性について
　以下、上記相違点１、２について検討する。
（ア）相違点１について　
　（ｉｉ）でも述べたとおり、引用文献１の記載から、引用発明１に係る皮膚外用剤が、従来のＴＲＸの酸化傷害への応用はＴＲＸの還元作用を利用したものであって生体の有するレドックス制御機構の正常化を企図するものではなかったこと（摘示事項１ｃ）を踏まえ、
皮膚におけるレドックス制御を
　また、引用文献１３〜１６には、ＴＲＸ及びＴＲＸリダクターゼで形成されるレドックス制御機構について具体的な記載乃至示唆が認められず、また、ＴＲＸそれ自体及びその作用についてすら具体的な記載乃至示唆を認めることができず（２−１．（ｉｉｉ）〜（ｖｉ））、かかる引用文献１３〜１６の記載を併せ参酌したとしても、引用発明１のＴＲＸにおいて相違点１に係る要件を付加することが、当業者にとり引用文献１に基づいて容易に想到し得たことであるとはいえない。
　
（イ）相違点２について
（イ１）要件２Ｂ：「「レドックス制御機構の正常化、または、皮膚炎予防治療を目的として使用するものを除く。」」点について
　事案に鑑み、上述の相違点２に係る要件２Ａ、２Ｂのうちまず２Ｂについて検討する。
　引用発明１が、皮膚における「レドックス制御を正常化し活性化すること」に基づいて酸化ストレスに対する抵抗性を向上させるためのものである以上、引用発明１において、敢えて上述の相違点２の要件２Ｂに含まれる「「レドックス制御機構の正常化」を目的として使用するものを除く」という要件を付加することの動機付けが、引用文献１から容易に得ることができるとは到底いえない。引用文献１３〜１６の記載を併せ参酌しても同様である。
　そうすると、引用発明１の組成物において、たとえ引用文献１３〜１６の記載を併せ参酌しても、同要件２Ｂに含まれる「「レドックス制御機構の正常化」を目的として使用するものを除く」との要件を付加することが、当業者にとり引用文献１に基づいて容易に想到し得たことであるとはいえない。
　
（イ２）要件２Ａ：「「皮膚におけるカリクレイン７産生促進」用」である点について
・（イ２−１）　引用文献１には、引用発明１の有効成分であるＴＲＸ及びＴＲＸリダクターゼの組合せが、皮膚におけるＫＬＫ７の産生を促進する作用を有することについて、記載も示唆もされていない。
　また、引用発明１の「皮膚におけるレドックス制御を正常化しより活性化する」作用、若しくは同作用により「酸化ストレスに対する抵抗性を向上させ、酸化ストレスにより生じる種々の傷害反応を防止する」作用について、
　・その作用機序から、皮膚におけるＫＬＫ７の産生促進作用を自然に導き出し得る；
とか、若しくは
　・その作用機序と密接に関連する薬理効果により、皮膚におけるＫＬＫ７の産生促進作用が必然的に生じる；
といった技術常識の存在が本願優先日当時当業者において知られていたものとも認められない。引用文献１３〜１６（２−１．（ｉｉｉ）〜（ｖｉ））の記載を併せ参酌しても同様である。
　
・（イ２−２）　また、ＴＲＸの皮膚における作用に関し、
　・本願明細書の記載によれば、目尻の弾力性の低下や目尻のしわ体積率の増加といった指標で表され得る
加齢による皮膚老化
抗老化
及び
・引用文献１には、紫外線等により生じた酸化ストレスが皮膚の損傷や
老化
を併せみると、
皮膚における抗老化作用
　
　しかしながら、以下のａ）及びｂ）の点を考慮すれば、引用文献１のＴＲＸの還元作用に基づく抗老化作用と、本願発明２のＫＬＫ７産生促進作用に基づく皮膚の抗老化作用とが同質の作用であるとはいえないし、また、ＴＲＸによる還元作用から、若しくは引用発明１に係るＴＲＸ−ＴＲＸリダクターゼの組合せによるレドックス制御機構の正常化作用を通じた紫外線等による皮膚の光老化の防止及び改善作用から、本願発明２のＫＬＫ７産生促進作用に基づく皮膚の抗老化作用が予期し得たということもできない。
　
　ａ）　引用発明１のＴＲＸ又はレドックス制御系（ＴＲＸ−ＴＲＸリダクターゼ複合体）による抗老化作用は、紫外線等の「酸化ストレスにより生じる種々の
皮膚の傷害反応を防止する
　これに対し、本願発明２のＴＲＸ（ＴＲＸリダクターゼを含むものと除く）による抗老化作用は、上述のとおり、産生促進されたＫＬＫ７による「角質層の細胞間どうしの結合部分を切断することにより
皮膚表面からの細胞の落屑を促」す
皮膚の角質層のターンオーバー速度を早め、古い角質層を速やかに除去し
老化角質の重層化を改善し
古い角質層に含まれるメラニンを除去する
　即ち、本願発明２による抗老化作用と、引用発明１のＴＲＸ又はレドックス制御系による抗老化作用とは、同じ「抗老化」作用ではあっても、それらの作用によりもたらされる皮膚への作用効果は質的に同様であるとはいえない。
　
　ｂ）　一口に皮膚老化といっても、その原因は自然老化（加齢による皮膚の変化）と光老化に大別されるところ（この点については、要すれば　日本化粧品技術者会編「化粧品事典」（平成１７年４月２５日第３刷発行）(株)丸善　の
　　・ｂ１）自然老化について、５１１〜５１２頁「自然老化」の項
　　・ｂ２）光老化について、６７９頁「光老化」の項
を参照のこと）、本願明細書の【０００１】〜【０００２】にいう加齢による皮膚老化は前者に相当し、引用文献１の紫外線等により生じる酸化ストレスによる酸化傷害は後者に相当する。そして、ｂ１）の「自然老化」の項によれば、「
自然老化と光老化では、皮膚の性状や内部の組織変化は大きく異なっている
　また、上のｂ１）の「自然老化」の項によれば、「自然老化」自体、「角層バリア機能の変化」（角層バリア破壊が起こった場合、老化皮膚ではバリア回復が遅くなる）、「水分保持機能の変化」（老化するとアミノ酸を中心とする天然保湿因子（ＮＭＦ）が低下しその結果として角層水分量が低下する）、「皮脂分泌機能の変化」（皮脂腺の活動に影響するホルモンの血中濃度の変化）、「表皮の変化」（表皮基底細胞の増殖能の低下によるターンオーバー時間の長期化、メラノサイト数の減少等）、「真皮の変化」（線維芽細胞の増殖機能の低下）、「皮膚血流の変化」（毛細血管の減少による細胞機能の低下）、「更年期後の女性の皮膚変化」（女性ホルモンの大きな減少）（５１１頁右欄１６行〜５１２頁右欄６行）といった、遺伝的な素因や内分泌の変化等の加齢に伴う、種々の細胞機能低下に起因する現象である（５１１頁右欄１３〜１５行）。
　即ち、皮膚の老化には、引用文献１に記載された紫外線等の酸化ストレスに伴い生じる皮膚傷害（光老化）以外にも、自然老化（加齢による老化）が存在し、しかも、当該自然老化を生じさせる要因としては様々なことが考えられる。そして、そうであれば、皮膚の老化に対する防止又は改善法も、当該老化の要因に応じ、様々に異なるものと考えられる。
　してみれば、引用文献１に、ＴＲＸ又は引用発明１に係るレドックス制御系により、酸化ストレスによる皮膚老化の症状の防止又は改善が見込まれるからといって、皮膚におけるＫＬＫ７産生促進及びそれに伴う角質の落屑（ターンオーバー）速度の向上を介した抗老化作用がもたらされることも併せて予期される、とは、当業者といえども直ちに想到し得るものではない。
　
・（イ２−３）　なお、２−１．（ｉｉｉ）〜（ｖ）で摘記したとおり、イチョウ葉エキス等のメソトリプシン発現亢進剤又やビタミンＢ１２活性を有するコバラミン類により、皮膚角層のＫＬＫ７又はキモトリプシン様セリンプロテアーゼの発現又は活性を高めることで角層の落屑（ターンオーバー）を促進せしめることは、引用文献１３又は１４に記載され、また、大豆サポニンにより、皮膚線維芽細胞における紫外線傷害が抑制されると共にキモトリプシン様プロテアソーム活性が高まることは引用文献１５に記載されているところ、これら引用文献１３〜１５及び引用文献１６（２−１．（ｖｉ））のいずれも、ＴＲＸ（ＴＲＸリダクターゼを含むものを除く）について言及されておらず、ＴＲＸ（ＴＲＸリダクターゼを含むものを除く）のＫＬＫ７産生促進剤（レドックス制御機構の正常化、または、皮膚炎予防治療を目的とするものを除く）としての作用又は用途について想起させるものでないことは、上の（ア）等で既に述べたとおりである。
（ウ）　以上の（ア）〜（イ）での検討を踏まえると、引用発明１に対し、上記相違点１及び２に係る要件を併せ具備することの動機付けのいずれも、引用文献１や引用文献１３〜１６の記載から得ることができたとはいえないから、本願発明２は、引用発明１及び引用文献１３〜１６の記載に基づいて当業者にとり容易に想到し得たものということはできない。
　
（エ）本願発明の効果について
　本願明細書の実施例１で具体的な試験結果を以て示されるとおり、本願発明２に係る組成物は、その有効成分であるＴＲＸ（ＴＲＸリダクターゼを含むものを除く）により皮膚の表皮角化細胞におけるＫＬＫ７の産生が促進され、しかもその促進作用の程度は既知のＫＬＫ７産生促進剤である塩化カルシウムやレチノイン酸（本願明細書【０００２】、若しくは【第３】１．（２）で引用された「非特許文献１」：J.INVEST.DERMATOL.,(2010) 130(5) P.1297-1306中の１２９８頁図１を参照）より高い、という格別の効果を奏するものである。
　
（ｉｖ）小活
　以上の検討のとおりであるから、本願発明２は、たとえ引用文献１３〜１６の記載を踏まえても、引用文献１に記載された発明に基づいて当業者が容易に発明をすることができたものではない。
　
（１−２）本願発明３について
　本願発明３は、本願発明２を引用する本願発明２の従属発明であるから、本願発明２について（１−１）（ｉｉｉ−１）で述べたのと同様の相違点１及び２に係る発明特定事項を併せ具備するものである。
　よって、本願発明３は、上記相違点１、２以外の相違点について検討するまでもなく、本願発明２について（１−１）で述べたのと同様の理由により、引用文献１３〜１６の記載を踏まえても、引用文献１に記載された発明であるとはいえず、引用文献１に記載された発明に基づいて当業者が容易に発明をすることができたものであるともいえない。
　
（１−３）付記：本願発明１について
　なお、原査定においては、本願発明１は理由１−１．に基づく新規性否定及び／又は進歩性否定の拒絶の理由の対象とはなっていないが、
・（１−１）（ｉｉｉ−２）（イ２）で述べたとおり、本願発明１に係る有効成分であるＴＲＸ（ＴＲＸリダクターゼを含むものを除く）によりＫＬＫ７産生促進作用をもたらしめることは、たとえ引用文献１３〜１６の記載を考慮したとしても引用文献１から当業者が容易に想到し得たとはいえず；　そして、
・（１−１）（ｉｉｉ−２）（エ）で述べたとおり、当該ＴＲＸ（ＴＲＸリダクターゼを含むものを除く）により、皮膚の表皮角化細胞におけるＫＬＫ７の産生が促進され、しかもその促進作用の程度は既知のＫＬＫ７産生促進剤である塩化カルシウムやレチノイン酸よりも高い、という本願明細書に記載された格別の効果がもたらされる；
のであるから、本願発明１もまた、原査定の理由１−１．により新規性及び進歩性が否定されるものでないことを付記しておく。
　
（２）理由１−２についての判断
（２−１）本願発明１について
　
（ｉ）　本願発明１は、【第２】の請求項２に記載されたとおりのものである。
　
（ｉｉ）引用文献２に記載された発明
　引用文献２の摘示事項２ａによれば、引用文献２には、次の発明：
　‘チオレドキシンを有効成分とする、紫外線誘発皮膚炎又は一次刺激性皮膚炎の予防又は治療用外用剤’
（以下、単に「引用発明２」ということがある）の発明が記載されているものと認められる。
　
（ｉｉｉ）対比・判断
（ｉｉｉ−１）新規性について
　本願発明１と引用発明２を対比するに、引用文献２には引用発明２におけるＴＲＸがＴＲＸリダクターゼを併せ配合してなるものであることの特段の記載が認められないことを踏まえると、両者は
　‘チオレドキシン（チオレトキシンリダクターゼを含むものと除く）を含有する、皮膚用の剤’
の点で一致するが、次の３）の点：
　３）　「チオレドキシン」の皮膚における作用又は用途について、
　・本願発明１では次の要件３Ａ及び３Ｂ：
　　３Ａ)　「皮膚におけるカリクレイン７産生促進」用
　　３Ｂ)　「レドックス制御機構の正常化、または、皮膚炎予防治療を目的として使用するものを除く。」
を共に満たすのに対し、
　・引用発明２では
　　上の３Ａに係る限定はなく、かつ、
　　同３Ｂに係る限定はなく、「紫外線誘発皮膚炎又は一次刺激性皮膚炎の予防又は治療用」のものである；
（以下、「相違点３」ということがある）において、相違する。
　
　そうすると、本願発明１は引用文献２に記載された発明とはいえない。
　
（ｉｉｉ−２）進歩性について
　以下、上記相違点３について検討する。
　
（ア）要件３Ｂ：「「レドックス制御機構の正常化、または、皮膚炎予防治療を目的として使用するものを除く。」」点について
　事案に鑑み、上述の相違点３に係る要件３Ａ、３Ｂのうちまず３Ｂについて検討する。
　引用文献２の記載からみて、引用発明２が、皮膚炎の中でも特定の、（アレルギー性皮膚炎とは明確に区別される）紫外線誘発皮膚炎又は一次刺激性皮膚炎を予防又は治療対象とするものであることが意図されている（摘示事項２ｂ、２ｃ）以上、引用発明２の予防又は治療対象から、上記紫外線誘発性皮膚炎及び一次刺激性皮膚炎を含め任意の「皮膚炎」の予防治療を目的として使用するものを「除く」ことを規定する要件３Ｂを付加することの動機付けが、引用文献２から容易に得ることができるとは到底いえない。引用文献１３〜１６の記載を併せ参酌しても同様である。
　そうすると、たとえ引用文献１３〜１６の記載を併せ参酌しても、同要件３Ｂに含まれる「「皮膚炎予防治療」を目的として使用するものを除く」との要件を付加することが、当業者にとり引用文献２に基づいて容易に想到し得たことであるとはいえない。
　
（イ）要件３Ａ：「「皮膚におけるカリクレイン７産生促進」用」である点について
・（イ２−１）　引用文献２には、引用発明２の有効成分であるＴＲＸが皮膚におけるＫＬＫ７の産生を促進する作用を有することについて、記載も示唆もされていない。
　また、引用発明２の「紫外線誘発皮膚炎又は一次刺激性皮膚炎の予防又は治療」作用について、
　・その作用機序から、皮膚におけるＫＬＫ７の産生促進作用を自然に導き出し得る；
とか、若しくは
　・その作用機序と密接に関連する薬理効果により、皮膚におけるＫＬＫ７の産生促進作用が必然的に生じる；
といった技術常識の存在が本願優先日当時当業者において知られていたものとも認められない。引用文献１３〜１６の記載（２−１．（ｉｉｉ）〜（ｖｉ））を併せ参酌しても同様である。
　
・（イ２−２）　また、ＴＲＸの皮膚における作用に関し、
　・（１−１）（ｉｉｉ−３）（イ２−２）で述べたとおり、本願明細書の【０００１】〜【０００２】及び【０００９】等の記載によれば、本願発明１のＴＲＸ（ＴＲＸリダクターゼを含むものと除く）により産生促進されたＫＬＫ７により「角質層の細胞間どうしの結合部分を切断することにより
皮膚表面からの細胞の落屑を促」す
皮膚の角質層のターンオーバー速度を早め、古い角質層が速やかに除去され
老化角質の重層化が改善され
古い角質層に含まれるメラニンが除去される
・引用文献２には、ＴＲＸによる上述のような老化角質の重層化の改善作用や古い角質層に含まれるメラニンの除去作用について記載乃至示唆がみられないのみならず、紫外線誘発皮膚炎又は一次刺激性皮膚炎に伴う皮膚の老化症状も予防又は治療の対象とすることについての特段の記載乃至示唆もない。
　してみると、たとえ（１−１）（ｉｉｉ−３）（イ２−２）ｂ）で述べたように、皮膚の老化の中には例えば引用文献２の紫外線照射に伴う「光老化」が含まれることを併せ考慮したとしても、ＴＲＸによる紫外線誘発皮膚炎又は一次刺激性皮膚炎に対する予防又は治療効果がもたらされることが引用文献２に記載されているからといって、皮膚におけるＫＬＫ７産生促進及びそれに伴う角質の落屑（ターンオーバー）速度の向上を介した抗老化作用がもたらされることも併せて引用文献２から予期される、とまでは、当業者といえども容易に想到し得るものではない。
　
（ウ）　以上の（ア）〜（イ）での検討を踏まえると、引用発明２に対し、上記相違点３に係る要件を併せ具備することの動機付けは、引用文献２や引用文献１３〜１６の記載から得ることができたとはいえないから、本願発明１は、引用発明２及び引用文献１３〜１６の記載に基づいて当業者にとり容易に想到し得たものということはできない。
　
（エ）　そして、本願発明１は、（１−１）（ｉｉｉ−２）（エ）で述べたように、本願明細書の実施例１で具体的な試験結果を以て示されるとおりの、格別の効果を奏するものである。
　
（ｉｖ）小活
　したがって、本願発明１は、たとえ引用文献１３〜１６の記載を踏まえても、引用文献２に記載された発明に基づいて当業者が容易に発明をすることができたものではない。
　
（２−２）本願発明２、３について
　本願発明２は、本願発明１に係るカリクレイン７産生促進剤を含有する、皮膚におけるカリクレイン７産生促進用の組成物であって「（レドックス制御機構の正常化、または、皮膚炎予防治療を目的として使用するものを除く。チオレドキシンリダクターゼを含むものを除く）」ものであり、また、本願発明３は、本願発明２を引用する本願発明２の従属発明である。
　即ち、本願発明２、３は共に、本願発明１に係る発明を発明特定事項として含むものであって、本願発明１について（２−１）（ｉｉｉ−１）で述べたのと同様の相違点３に係る発明特定事項を併せ具備するものである。
　よって、本願発明２、３はいずれも、上記相違点３以外の相違点について検討するまでもなく、本願発明１について（２−１）で述べたのと同様の理由により、引用文献１３〜１６の記載を踏まえても、引用文献２に記載された発明であるとはいえず、引用文献２に記載された発明に基づいて当業者容易に発明をすることができたものであるともいえない。
　
　
【第５】付記：前置報告書における拒絶の理由について
　
１．　平成３１年１月２２日付けの前置報告書に示されたいわゆる独立特許要件違反の理由の概要は、前述の引用文献１４〜１６の記載を考慮すると、本願発明１〜３はいずれも、引用文献１８〜２０のいずれかに記載された発明と用途上区別し得ないから、特許法第２９条第１項第３号、同法同条第２項の規定により独立して特許を受けることができない、というものである。
　　　　　　　　　　　　（　記　）
・引用文献１８：京大発ベンチャー、清酒由来成分の事業化本格化、黄桜から化粧品，化学工業日報，２０１３年　４月　１日，第５頁，[ONLINE]，日経テレコン, [retrieved on 2019-01-18]
・引用文献１９：化粧品原料　アリスタヘルス＆ニュートリション，化学工業日報，２０１３年　３月１５日，第８頁，[ONLINE]，日経テレコン, [retrieved on 2019-01-18]
・引用文献２０：日本酒成分入り化粧品、黄桜、４０〜６０代女性向け。，日本経済新聞　地方経済面　京都・滋賀，２０１３年　４月　４日，第４５頁，[ONLINE]，日経テレコン, [retrieved on 2019-01-18]
　
２．そこで、上記１．の独立特許要件違反の理由の当否についても念のため検討しておく。
　
（１）　引用文献１８には、清酒由来の機能性成分ＴＲＸを配合してなる「京美水エイジケア」なる化粧品が開発されたこと等が記載されており、当該ＴＲＸが炎症や免疫応答、老化を抑制する作用を有していることが記載されている。
　また、引用文献２０にも、引用文献１８の記載と同じ製品名の「京美水エイジケア」、並びに、同製品に配合された日本酒由来の成分であるＴＲＸには抗酸化作用があり、炎症を抑えたり乾燥した肌を回復させたりする効果があることが記載されている。
　引用文献１９にも、清酒由来の抗ストレス成分であるＴＲＸが開発中であり、ＵＶ等のストレス防御や抗老化作用、アトピー改善効果が確認されたことが記載されており、新規スキンケア成分とし得ることが示唆されている。
　
（２）　しかしながら、これら引用文献１８〜２０のいずれにも、ＴＲＸ（ＴＲＸリダクターゼを含むものを除く）がＫＬＫ７の産生促進剤としての作用又は用途を有することについて、記載も示唆もされていない。前述の引用文献１４〜１６の記載を併せ考慮したとしても同様である。
　さらに、【第４】２−２．の（１−１）（ｉｉｉ−３）（イ２）や（２−１）（ｉｉｉ−３）（イ２）において、引用文献１に記載された酸化ストレスに対する抑制作用及びそれに伴う抗老化作用や、引用文献２に記載された紫外線誘発皮膚炎又は一次刺激性皮膚炎に対する予防又は治療作用について検討・説示したのと同様に、引用文献１８〜２０において単にＴＲＸがＵＶ等のストレスに対する防御作用、抗老化作用、及び／又は抗炎症作用を有していることが記載乃至示唆されているからといって、皮膚におけるＫＬＫ７産生促進及びそれに伴う角質の落屑（ターンオーバー）速度の向上を介した抗老化作用がもたらされることも併せて予期される、とまでは、当業者といえども容易に想到し得るものではない。
　そして、本願発明１に係る剤、並びに同剤を含有する本願発明２及び３の各組成物は、上の【第４】２−２．（１−１）（ｉｉｉ−３）（エ）等で述べたとおりの、本願明細書に記載された格別の効果を奏するものである。
　したがって、本願発明１〜３はいずれも、引用文献１４〜１６の記載を踏まえたとしても、引用文献１８〜２０のいずれかに記載されたものではないし、引用文献１８〜２０のいずれかに記載された発明に基づいて当業者が容易に発明をすることができたものでもない。
　よって、上記１．の理由はない。
　
　
【第６】むすび
　以上のとおりであるから、当審からの拒絶理由通知書における拒絶の理由、原査定時に示された拒絶の理由のいずれによっても、本願を拒絶することはできない。
　また、他に本願を拒絶すべき理由を発見しない。
　よって、結論のとおり審決する。